(57)【要約】【課題】本考案は、水上歩く靴構造を提供する。【解決手段】二つの浮力靴の下方に、若干の漕ぎ板が設置され、二つの浮力靴の間に、一つ以上の連結紐が設置されることからなり、浮力靴の上方に、ユーザーの脚が履き込めるための履き込め部が設けられ、漕ぎ板が、均一的な大きさと数であり、浮力靴の底部に、下へ向かって設置され、枢支軸により、後方へ向かって搖動できて、垂直より前方へ搖動できなく、常態では、垂直するように位置するように、枢支され、連結紐が、二つの浮力靴の対応する内側に設置され、上記の構造により、安定的に水上を歩ける。【選択図】図１
0003133793.tif 000002
【実用新案登録請求の範囲】
【請求項１】
二つの浮力靴の下方に、若干の漕ぎ板が設置され、二つの浮力靴の間に、一つ以上の連結紐が設置されることからなり、浮力靴の上方に、ユーザーの脚が履き込めるための履き込め部が設けられ、漕ぎ板が、均一的な大きさと数であり、浮力靴の底部に、下へ向かって設置され、枢支軸により、後方へ向かって搖動できて、垂直より前方へ搖動できなく、常態では、垂直するように位置するように、枢支され、連結紐が、二つの浮力靴の対応する内側に設置されることを特徴とする水上歩く靴構造。
【請求項２】
二つの連結紐が、設置され、連結紐が、それぞれ、浮力靴の前後方に設置されることを特徴とする請求項１に記載の水上歩く靴構造。
【請求項３】
連結紐が、弾力を有する弾性紐であることを特徴とする請求項１に記載の水上歩く靴構造。
【請求項４】
漕ぎ板が、枢支軸の前方に、設置された制限ボルックにより、前へ搖動できないことを特徴とする請求項１に記載の水上歩く靴構造。
【考案の詳細な説明】
【技術分野】
【０００１】
本考案は、水上で遊びや運動ができる水上歩く靴構造に関し、特に、脚で履いて、水面上を歩けるものに関する。
【背景技術】
【０００２】
水面上を歩ける靴構造であり、主として、脚で浮力の靴を履いて、該靴の浮力により、人の重量が支持され、左右脚で移動する時、靴の底部の構造により、水上を漕いで、前進し、上記の構造は、実用上、左右脚により、履いた靴を利用して、安定的に水面を歩けなく、二つの靴が、方向性なく知らぬ方向へ移動し、特に、二つの脚が、大きく開く状態になり、そのため、ユーザーが安定的に水上を歩けず、実用的ではない。
【考案の開示】
【考案が解決しようとする課題】
【０００３】
本考案の目的は、二つの浮力靴の下方に、搖動可能の漕ぎ板を設置することにより、ユーザーが、水面上において、漕ぎ板により、それぞれ、交互に、異なる浮力靴に抵抗を生成して、ユーザーが、水面上を前進でき、また、連結紐により、二つの浮力靴が、両側に抵抗がないため、離れる方向へ滑ることを防止でき、これにより、ユーザーの両脚が、開きすぎで、重心を失って立つことができないことを防止でき、より安定的に水面を歩ける水上歩く靴構造を提供する。
【課題を解決するための手段】
【０００４】
請求項１の考案は、二つの浮力靴の下方に、若干の漕ぎ板が設置され、二つの浮力靴の間に、一つ以上の連結紐が設置されることからなり、浮力靴の上方に、ユーザーの脚が履き込めるための履き込め部が設けられ、漕ぎ板が、均一的な大きさと数であり、浮力靴の底部に、下へ向かって設置され、枢支軸により、後方へ向かって搖動できて、垂直より前方へ搖動できなく、常態では、垂直するように位置するように、枢支され、連結紐が、二つの浮力靴の対応する内側に設置されることを特徴とする水上歩く靴構造である。
【０００５】
請求項２の考案は、二つの連結紐が、設置され、連結紐が、それぞれ、浮力靴の前後方に設置されることを特徴とする請求項１に記載の水上歩く靴構造である。
【０００６】
請求項３の考案は、連結紐が、弾力を有する弾性紐であることを特徴とする請求項１に記載の水上歩く靴構造である。
【０００７】
請求項４の考案は、漕ぎ板が、枢支軸の前方に、設置された制限ボルックにより、前へ搖動できないことを特徴とする請求項１に記載の水上歩く靴構造である。
【考案を実施するための最良の形態】
【０００８】
図１と図２のように、二つの浮力靴１０の下方に、若干の漕ぎ板２０が設置され、二つの浮力靴１０の間に、一つ以上の連結紐３０が設置されることからなる。
【０００９】
浮力靴１０の上方に、ユーザーの脚が履き込めるための履き込め部１１が設けられ、漕ぎ板２０は、均一的な大きさと数であり、浮力靴１０の底部に、下へ向かって設置され、枢支軸２１により、後方へ向かって搖動できて、垂直より前方へ搖動できなく、常態では、垂直するように位置するように、枢支され、抵抗がある場合、後方へ搖動でき、また、枢支軸２１の前方に設置された制限ボルック２２により、前方へ搖動できなく、また、二つの浮力靴１０の対応する内側に、二つの連結紐３０が設置され、それぞれ、浮力靴１０の前後方に設置され、また、連結紐３０は、弾力を予めに設定できる弾性紐である。
【００１０】
その構造は、図３から図７のように、ユーザーが、脚で、浮力靴１０の履き込め部１１を履くと、浮力靴１０で、水面上を歩け、浮力靴１０の固有する浮力により、ユーザーの体重が支持されるため、ユーザーが、水面上を浮くことができ、この時、連結紐３０により、二つの浮力靴１０の距離が、連結紐３０の長さに保持され、また、連結紐３０の長さの範囲内で移動でき（図３と図４のように）、また、ユーザーの一つの脚が前へ移動する時、当該浮力靴１０の下方にある漕ぎ板２０が、水の抵抗により、枢支軸２１で、後方へ搖動し、そして、浮力靴１０靴の底部に貼り付くようになり、そのため、水の抵抗が無くなり、該浮力靴１０が、スムーズに前方へ移動でき（図５のように）、また、後ろの脚の浮力靴１０が、前方へ移動する時、前方の脚の浮力靴１０により、支持され、この時、前方へ移動する後ろの脚の浮力靴１０の漕ぎ板２０が、同じように、浮力靴１０の底部に貼り付くようになり、前方の浮力靴１０の漕ぎ板２０が、水圧と重力により、下へ変位して垂直になり（図６を参照しながら）、そのため、前方の脚の浮力靴１０は、該垂直した漕ぎ板２０により、後ろへ変位できない抵抗が生成されて（図７のように）、後ろの脚が、前方へ変位でき、上記の作動を繰り返すと、ユーザーが、水面上を歩くことができる。
【００１１】
本考案によれば、次の利点が得られ、二つの浮力靴１０の下方に設置された搖動可能の漕ぎ板２０により、漕ぎ板２０により、それぞれ、異なる浮力靴１０の下方に交互に抵抗が生成されるため、ユーザーが、水面上を歩くことができ、また、連結紐３０により、二つの浮力靴１０が、両側に抵抗がないため、離れる方向へ滑ることを防止でき、これにより、ユーザーの両脚が、開きすぎで重心を失って立つことができないことを防止でき、そのため、より安定的に水面を歩ける。
【図面の簡単な説明】
【００１２】
【図１】本考案の立体組み立て図
【図２】本考案の他の角度の立体組み立て図
【図３】本考案の使用状態側面図
【図４】本考案の歩く時の動作上面図
【図５】本考案の漕ぎ板が底部に貼り付く時の動作図
【図６】本考案の漕ぎ板が垂直するための動作図
【図７】本考案の漕ぎ板で、水を漕いで前進する時の動作図
【符号の説明】
【００１３】
１０      浮力靴
１１      履き込め部
２０      漕ぎ板
２１      枢支軸
２２      制限ボルック
３０      連結紐
【図１】
0003133793.tif 000003
【図２】
0003133793.tif 000004
【図３】
0003133793.tif 000005
【図４】
0003133793.tif 000006
【図５】
0003133793.tif 000007
【図６】
0003133793.tif 000008
【図７】
0003133793.tif 000009
【手続補正書】
【提出日】平成19年5月23日(2007.5.23)
【手続補正１】
【補正対象書類名】実用新案登録請求の範囲
【補正対象項目名】請求項４
【補正方法】変更
【補正の内容】
【請求項４】
漕ぎ板が、枢支軸の前方に、設置された制限ストッパにより、前へ搖動できないことを特徴とする請求項１に記載の水上歩く靴構造。
【手続補正２】
【補正対象書類名】明細書
【補正対象項目名】０００７
【補正方法】変更
【補正の内容】
【０００７】
請求項４の考案は、漕ぎ板が、枢支軸の前方に、設置された制限ストッパにより、前へ搖動できないことを特徴とする請求項１に記載の水上歩く靴構造である。
【手続補正３】
【補正対象書類名】明細書
【補正対象項目名】０００９
【補正方法】変更
【補正の内容】
【０００９】
浮力靴１０の上方に、ユーザーの脚が履き込めるための履き込め部１１が設けられ、漕ぎ板２０は、均一的な大きさと数であり、浮力靴１０の底部に、下へ向かって設置され、枢支軸２１により、後方へ向かって搖動できて、垂直より前方へ搖動できなく、常態では、垂直するように位置するように、枢支され、抵抗がある場合、後方へ搖動でき、また、枢支軸２１の前方に設置された制限ストッパ２２により、前方へ搖動できなく、また、二つの浮力靴１０の対応する内側に、二つの連結紐３０が設置され、それぞれ、浮力靴１０の前後方に設置され、また、連結紐３０は、弾力を予めに設定できる弾性紐である。
【手続補正４】
【補正対象書類名】明細書
【補正対象項目名】００１３
【補正方法】変更
【補正の内容】
【００１３】
１０      浮力靴
１１      履き込め部
２０      漕ぎ板
２１      枢支軸
２２      制限ストッパ
３０      連結紐